(57)【要約】【課題】赤外線通信の指向角よりも大きい角度で位置がずれたとしても、通信が可能であり、かつ、他の機器へ画像データに対応する赤外線信号が送信されるのを抑制することが可能な画像形成装置を提供する。【解決手段】この画像形成装置（熱転写プリンタ）は、印画を行う装置本体１に設置され、画像データの赤外線通信を行うための赤外線通信部３と、赤外線通信部３の通信面に対応する位置に配置され、赤外線信号を反射可能な白色の内面部４ｃを有する樹脂によって形成されている筒状体４と、筒状体４の内部に設置された凹レンズ５とを備え、筒状体４は、赤外線通信部３側の開口部４aから、赤外線通信部３とは反対側の開口部４ｂに向かって、開口面積が大きくなるような形状を有し、装置本体１の赤外線通信部３は、カメラ部１０ａと、カメラ部１０ａにより撮影した画像データに対応する赤外線信号を送信する赤外線通信部１０ｂとを有する携帯電話１０からの画像データに対応する赤外線信号を、筒状体４を介して受信可能である。【選択図】図７
2007130762.tif 000002
【特許請求の範囲】
【請求項１】
印画を行う装置本体に設置され、画像データの赤外線通信を行うための赤外線通信部を備えた画像形成装置において、
前記装置本体は、前記赤外線通信部の通信面に対応する位置に配置され、赤外線信号を反射可能な白色の内面部を有する樹脂によって形成されている筒状体と、前記筒状体の内部に設置された凹レンズとを備え、
前記筒状体は、前記赤外線通信部側の開口部から、前記赤外線通信部とは反対側の開口部に向かって、開口面積が大きくなるような形状を有し、
前記装置本体の赤外線通信部は、カメラ機能と、前記カメラ機能により撮影した画像データに対応する赤外線信号を送信する赤外線通信機能とを有する機器からの画像データに対応する赤外線信号を、前記筒状体を介して受信可能である、画像形成装置。
【請求項２】
印画を行う装置本体に設置され、画像データの赤外線通信を行うための赤外線通信部と、
前記赤外線通信部の通信面に対応する位置に配置され、赤外線信号を反射可能な内面部を有する筒状体とを備えた、画像形成装置。
【請求項３】
前記筒状体は、前記赤外線通信部側の開口部から、前記赤外線通信部とは反対側の開口部に向かって開口面積が大きくなるような形状を有する、請求項２に記載の画像形成装置。
【請求項４】
前記筒状体の内部に設置された凹レンズをさらに備えた、請求項２または３に記載の画像形成装置。
【請求項５】
前記装置本体の赤外線通信部は、カメラ機能と、前記カメラ機能により撮影した画像データに対応する赤外線信号を送信する赤外線通信機能とを有する機器からの画像データに対応する赤外線信号を、前記筒状体を介して受信可能である、請求項２〜４のいずれか１項に記載の画像形成装置。
【請求項６】
前記筒状体は、赤外線信号を反射可能な白色の内面部を有する樹脂によって形成されている、請求項２〜５のいずれか１項に記載の画像形成装置。
【請求項７】
前記筒状体は、前記筒状体を少なくとも水平方向に回動させることが可能な支持部材によって支持される、請求項２〜６のいずれか１項に記載の画像形成装置。
【発明の詳細な説明】
【技術分野】
【０００１】
この発明は、画像形成装置に関し、特に、印画を行う装置本体に設置され、画像データの赤外線通信を行うための赤外線通信部を備えた画像形成装置に関する。
【背景技術】
【０００２】
従来、印画を行う装置本体に設置され、画像データの赤外線通信を行うための赤外線通信部を備えた熱転写プリンタなどの画像形成装置が知られている。また、従来、カメラ機能と、カメラ機能により撮影した画像データ（写真データ）を熱転写プリンタに送信可能な赤外線通信機能とを有する携帯電話も知られている。図１０は、従来の一例による熱転写プリンタと、カメラ機能および赤外線通信機能を有する携帯電話とを示した斜視図である。図１１および図１２は、従来の一例による熱転写プリンタと携帯電話とが通信する場合を示す図である。まず、図１０〜図１２を参照して、従来の一例による熱転写プリンタおよび赤外線通信機能を有する携帯電話の構造について説明する。
【０００３】
従来の一例による熱転写プリンタは、図１０に示すように、画像データに基づいて印刷が可能な装置本体１０１と、装置本体１０１に脱着可能に装着される給紙トレイ１０２と、携帯電話１１０との間で画像データの赤外線通信を行うための赤外線通信部１０３とを有する。装置本体１０１は、図１０および図１１に示すように、インクシートカートリッジ（図示せず）を挿入するための挿入孔１０１ａと、赤外線通信部１０３の表面を露出させるための赤外線通信用孔１０１ｂと、赤外線通信部１０３を取り付けるための取付部１０１ｃとを含んでいる。また、携帯電話１１０は、図１１および図１２に示すように、画像を撮影可能なカメラ部１１０ａと、カメラ部１１０ａにより撮像した画像のデータを熱転写プリンタに送信するための赤外線通信部１１０ｂとを有する。
【０００４】
また、熱転写プリンタの装置本体１０１の赤外線通信部１０３および携帯電話１１０の赤外線通信部１１０ｂは、Ｉｒ−ＤＡ規格に対応している。Ｉｒ−ＤＡとは、赤外線によるデータ通信において、様々なメーカーによる製品間の通信を可能にするために設定された赤外線通信規格である。Ｉｒ−ＤＡ規格による指向角は、他機との干渉を抑えるため、送信側および受信側共に±１５°と狭くなっている。
【０００５】
次に、従来の一例による装置本体１０１と、携帯電話１１０とのデータ通信について説明する。図１１に示すように、携帯電話１１０のカメラ部１１０ａで撮影された画像のデータは、赤外線信号に変換され、携帯電話１１０の赤外線通信部１１０ｂから送信される。送信された赤外線信号は±１５°の指向角で直進し、熱転写プリンタの装置本体１０１の赤外線通信部１０３により受信される。熱転写プリンタの赤外線通信部１０３により受信された赤外線信号は、画像データに変換される。そして、その画像データに基づいて、装置本体１０１により印刷が行われる。また、図１２に示すように、装置本体１０１から携帯電話１１０への通信も同様にして可能である。
【０００６】
また、従来、赤外線通信を用いる種々の機器が知られている（たとえば、特許文献１参照）。この特許文献１には、蛍光ランプと、赤外線リモコン信号（赤外線）を受光する受光素子（赤外線通信部）と、受光素子の前面に設けた光学フィルターとを有する照明器具が開示されている。
【０００７】
【特許文献１】特願２０００−３７１０３０号公報
【発明の開示】
【発明が解決しようとする課題】
【０００８】
しかしながら、図１０〜図１２に示した従来の熱転写プリンタでは、図１３および図１４に示すように、熱転写プリンタの装置本体１０１の赤外線通信部１０３に対する携帯電話１１０の赤外線通信部１１０ｂの位置や向きがずれた場合、Ｉｒ−ＤＡの指向角が±１５°と狭いため、通信が困難になるという問題点があった。また、複数の熱転写プリンタの装置本体１０１が接近して配置されているような場合には、携帯電話１１０から送信される画像データに対応する赤外線信号が、送信対象の装置本体１０１以外の装置本体１０１にも送信されてしまう場合があるという問題点があった。
【０００９】
また、上記特許文献１に記載の構造では、リモコンと受光素子とがＩｒ−ＤＡの指向角（±１５°）を超える角度に位置した場合、通信が困難であるという問題点がある。また、受光素子の近辺に他の受光素子を有する機器があった場合、リモコンから送信される赤外線信号が、他の機器にも送信されてしまうという問題点もある。
【００１０】
この発明は、上記のような課題を解決するためになされたものであり、この発明の１つの目的は、赤外線通信の指向角よりも大きい角度で位置がずれたとしても、通信が可能であり、かつ、他の機器へ画像データに対応する赤外線信号が送信されるのを抑制することが可能な画像形成装置を提供することである。
【課題を解決するための手段】
【００１１】
この発明の第１の局面における画像形成装置は、印画を行う装置本体に設置され、画像データの赤外線通信を行うための赤外線通信部を備えた画像形成装置において、装置本体は、赤外線通信部の通信面に対応する位置に配置され、赤外線信号を反射可能な白色の内面部を有する樹脂によって形成されている筒状体と、筒状体の内部に設置された凹レンズとを備え、筒状体は、赤外線通信部側の開口部から、赤外線通信部とは反対側の開口部に向かって、開口面積が大きくなるような形状を有し、装置本体の赤外線通信部は、カメラ機能と、前記カメラ機能により撮影した画像データに対応する赤外線信号を送信する赤外線通信機能とを有する機器からの画像データに対応する赤外線信号を、筒状体を介して受信可能である。
【００１２】
この第１の局面による画像形成装置では、上記のように、装置本体を、画像データの赤外線通信を行うための赤外線通信部と、赤外線通信部の通信面に対応する位置に配置され、赤外線信号を反射可能な内面部を有する筒状体とを備えるように構成することによって、画像データに対応する赤外線信号を装置本体に送信する機器の装置本体に対する位置が赤外線通信の指向角よりも大きい角度でずれた場合にも、送信される画像データに対応する赤外線信号が筒状体の内面部に入射すれば、その赤外線信号を、筒状体の内面部による反射により装置本体の赤外線通信部に向かわせることができる。これにより、赤外線通信の指向角よりも大きい角度で送信側の機器の装置本体に対する位置がずれた場合にも、画像データの通信を行うことができる。また、装置本体と、画像データを画像形成装置に送信する機器との位置が近距離にあり、かつ、送信側の機器から送信される赤外線信号の指向方向の中心が、装置本体の赤外線通信部の指向方向の中心とほぼ一致している場合には、送信された赤外線信号は、全て筒状体の内部に入るため、他の機器に画像データが送信されるのを抑制することができる。また、樹脂によって形成された筒状体の内面部を白色にするように構成することによって、筒状体を樹脂によって形成する場合に、内面部が赤外線信号を反射し易くすることができる。また、筒状体を、装置本体の赤外線通信部側の開口部から、装置本体の赤外線通信部とは反対側の開口部に向かって、開口面積が大きくなるような形状を有するように構成することによって、その開口面積の大きな開口部により、赤外線信号を筒状体の内部に取り込みやすくすることができる。また、筒状体を、筒状体の内部に設置された凹レンズをさらに備えるように構成することによって、筒状体の内面により反射されて±１５°よりも大きい角度で凹レンズに入射した赤外線信号を、±１５°以内に屈折させることができるので、装置本体の赤外線通信部により、容易に画像データに対応する赤外線信号を受信することができる。また、装置本体の赤外線通信部を、カメラ機能とカメラ機能により撮影した画像データに対応する赤外線信号を送信する赤外線通信機能とを有する機器からの画像データに対応する赤外線信号を前記筒状体を介して受信可能に構成することによって、その機器のカメラ機能により撮影した画像データに対応する赤外線信号を、筒状体および赤外線通信部を介して、簡単に装置本体に取り込むことができる。
【００１３】
この発明の第２の局面による画像形成装置は、印画を行う装置本体に設置され、画像データの赤外線通信を行うための赤外線通信部と、赤外線通信部の通信面に対応する位置に配置され、赤外線信号を反射可能な内面部を有する筒状体とを備える。
【００１４】
この発明の第２の局面による画像形成装置では、上記のように、装置本体を、印画を行う装置本体に、画像データの赤外線通信を行うための赤外線通信部と、赤外線通信部の通信面に対応する位置に配置され、赤外線信号を反射可能な内面部を有する筒状体とを備えるように構成することによって、画像データに対応する赤外線信号を画像形成装置に送信する機器の装置本体に対する位置が赤外線通信の指向角よりも大きい角度でずれた場合にも、送信される画像データに対応する赤外線信号が筒状体の内面部に入射すれば、その赤外線信号を、筒状体の内面部による反射により、装置本体の赤外線通信部に向かわせることができる。これにより、赤外線通信の指向角よりも大きい角度で送信側の機器の装置本体に対する位置がずれた場合にも、画像データの通信を行うことができる。また、装置本体と、画像データに対応する赤外線信号を画像形成装置に送信する機器との位置が近距離にあり、かつ、送信側の機器から送信される赤外線信号の指向方向の中心が、装置本体の赤外線通信部の指向方向の中心とほぼ一致している場合には、送信された赤外線信号は、全て筒状体の内部に入るため、他の機器に画像データが送信されるのを抑制することができる。
【００１５】
上記第２の局面による画像形成装置において、好ましくは、筒状体は、赤外線通信部側の開口部から、赤外線通信部とは反対側の開口部に向かって開口面積が大きくなるような形状を有する。このように構成すれば、その開口面積の大きな開口部により、赤外線信号を筒状体の内部に取り込みやすくすることができる。
【００１６】
上記第２の局面による画像形成装置において、好ましくは、筒状体は、筒状体の内部に設置された凹レンズをさらに備える。このように構成すれば、筒状体の内面により反射されて±１５°よりも大きい角度で凹レンズに入射した赤外線信号を、±１５°以内に屈折させることができるので、装置本体の赤外線通信部により、容易に画像データに対応する赤外線信号を受信することができる。
【００１７】
上記第２の局面による画像形成装置において、好ましくは、装置本体の赤外線通信部は、カメラ機能と、カメラ機能により撮影した画像データに対応する赤外線信号を送信する赤外線通信機能とを有する機器からの画像データに対応する赤外線信号を筒状体を介して、受信可能である。このように構成すれば、その機器のカメラ機能により撮影した画像データに対応する赤外線信号を、筒状体および赤外線通信部を介して、簡単に装置本体に取り込むことができる。
【００１８】
上記第２の局面による画像形成装置において、好ましくは、筒状体は、赤外線信号を反射可能な白色の内面部を有する樹脂によって形成されている。このように構成すれば、筒状体を樹脂によって形成する場合に、筒状体の内面部が赤外線を反射させ易くすることができる。
【００１９】
上記第２の局面による画像形成装置において、好ましくは、筒状体は、筒状体を少なくとも水平方向に回動させることが可能な支持部材によって支持される。このように構成すれば、筒状体を水平方向に回動させることによって、データ通信の方向を容易に変更をすることができる。
【発明を実施するための最良の形態】
【００２０】
以下、本発明の実施形態を図面に基づいて説明する。
【００２１】
図１は本発明の一実施形態による熱転写プリンタと、カメラ機能および赤外線通信機能を有する携帯電話とを示した斜視図である。図２および図３は、それぞれ、本発明の一実施形態による熱転写プリンタの全体構成を示した側面図および正面図である。図４および図５は、本発明の一実施形態による熱転写プリンタの赤外線通信部およびその周辺の構造を説明するための図である。図１〜図５を参照して、本実施形態による熱転写プリンタの構造を説明する。なお、本実施形態では、本発明を、画像形成装置の一例としての熱転写プリンタに適用した場合について説明する。
【００２２】
図１〜図５に示すように、本実施形態による熱転写プリンタは、装置本体１と、装置本体１に脱着可能に取り付けられる給紙トレイ２と、赤外線信号により画像データの通信を可能にする赤外線通信部３とを備えている。
【００２３】
ここで、本実施形態による熱転写プリンタの装置本体１は、さらに、赤外線通信部３の通信面に対応する位置に配置され、赤外線信号を反射可能な内面部４ｃを有する樹脂製の筒状体４と、筒状体４の内部に配置された両面が凹形状の凹レンズ５と、筒状体４を支持する支持部材６とを有する。装置本体１は、インクシートカートリッジ（図示せず）を挿入するための挿入孔１ａと、赤外線通信部３の表面（通信面）を露出させるための赤外線通信用孔１ｂと、赤外線通信部３を取り付けるための取付部１ｃとを含んでいる。また、図５に示すように、赤外線通信部３を取り付けるための取付部１は、装置本体１の内部に、装置本体１と一体的に形成されている。また、図１に示すように、熱転写プリンタの赤外線通信部３は、たとえば、携帯電話１０から赤外線通信により画像データに対応する赤外線信号が送信されるように構成されている。携帯電話１０は、図１に示すように、画像を撮影可能なカメラ部１０ａと、カメラ部１０ａにより撮影した画像のデータに対応する赤外線信号を熱転写プリンタに送信するための赤外線通信部１０ｂとを有する。また、装置本体１の赤外線通信部３および携帯電話１０の赤外線通信部１０ｂは、前述のＩｒ−ＤＡ規格に対応している。
【００２４】
赤外線通信部３は、図４および図５に示すように、装置本体１の内部に収納されているとともに、赤外線通信用孔１ｂを介して表面（通信面）が露出されている。また、赤外線通信部３の通信可能な指向角は、垂直方向および水平方向に±１５°である。赤外線通信部３は、図１に示すように、携帯電話１０から赤外線通信により送信される画像データに対応する赤外線信号を、筒状体４を介して、受信可能である。
【００２５】
ここで、本実施形態では、樹脂からなる筒状体４は、図３および図４に示すように、赤外線通信部３側の開口部４ａから、赤外線通信部３とは反対側の開口部４ｂに向かって開口面積が大きくなるような円筒形状を有しているとともに、赤外線信号を反射可能な白色の内面部４ｃを有している。また、筒状体４の赤外線通信部３側の開口部４ａは、装置本体１に接するように配置されている。また、筒状体４は、支持部材６によって上下移動および水平方向の回動が可能なように支持されている。また、凹レンズ５は、装置本体１の赤外線通信部３が、赤外線信号を送信する場合においては、±１５°の角度範囲で送信された赤外線信号を、±３０°の角度範囲に広げるように屈折させる機能を有する。また、装置本体１の赤外線通信部３が、赤外線信号を受信する場合においては、±１５°より大きい角度で凹レンズ５に入射した赤外線信号を、±１５°以内の角度に屈折させる機能を有する。
【００２６】
支持部材６は、円筒状の筒状体４を保持する帯状の保持部６ａと、保持部６ａを支持する支持軸６ｂと、支持軸６ｂが上下動および水平方向の回動が可能に挿入されて取り付けられる支持軸装着部６ｃと、支持軸装着部６ｃに取り付けられ、筒状体４の位置を固定するためのネジ部６ｄとを有する。
【００２７】
図６〜図８は、本実施形態における熱転写プリンタの装置本体の赤外線通信部と、携帯電話の赤外線通信部との間のデータの送受信動作を説明するための図である。次に、図６〜図８を参照して、本実施形態による熱転写プリンタの装置本体と、携帯電話とのデータの送受信動作について説明する。なお、図６および図８の装置本体１と携帯電話１０との位置関係は、それぞれ、図１３および図１４に示した従来例における装置本体１０１と携帯電話１１０との位置関係と同じである。
【００２８】
本実施形態では、図６に示すように、携帯電話１０の赤外線通信部１０ｂより送信された赤外線信号の一部が、筒状体４の開口面積の大きな開口部４ｂを介して、筒状体４の内部に入る。筒状体４の内部に入った赤外線信号は、筒状体４の内面部４ｃにより反射され、１５°よりも大きな角度で凹レンズ５に入射する。凹レンズ５に入射した赤外線信号は、凹レンズ５の機能によって、装置本体１の赤外線通信部３の指向角±１５°以内の角度αになるように屈折されることにより、赤外線信号は、装置本体１の赤外線通信部３の指向角の範囲内で装置本体１の赤外線通信部３に入射される。このようにして、装置本体１の赤外線通信部３により、携帯電話１０の赤外線通信部１０ｂから送信されたデータが受信される。
【００２９】
また、本実施形態では、装置本体１と携帯電話１０とが近距離で、かつ、携帯電話１０から送信される赤外線信号の指向方向の中心が、熱転写プリンタの赤外線通信部３の指向方向の中心とほぼ一致している場合、図７に示すように、携帯電話１０の赤外線通信部１０ｂにより送信された赤外線信号は、筒状体４の開口面積の大きい開口部４ｂの範囲内に入射する。このため、送信された赤外線信号は、すべて筒状体４の内部に入る。この場合、携帯電話１０から送信された赤外線信号が他の機器（図示せず）に送信されることが抑制される。
【００３０】
また、本実施形態では、図８に示すように、装置本体１の赤外線通信部３からＩｒ−ＤＡの指向角（±１５°）内で発された赤外線信号は、凹レンズ５により、±３０°前後に広げられる。こうすることによって、Ｉｒ−ＤＡ規格の指向角（±１５°）により制限されていた携帯電話１０の赤外線通信部１０ｂの受信範囲が、より広い範囲に広げられる。
【００３１】
本実施形態では、上記のように、装置本体１を、画像データの赤外線通信を行うための赤外線通信部３と、赤外線通信部３の通信面に対応する位置に配置され、赤外線信号を反射可能な内面部４ｃを有する筒状体４とを備えるように構成することによって、携帯電話１０の装置本体１に対する位置が赤外線通信の指向角よりも大きい角度でずれた場合にも、送信される画像データに対応する赤外線信号が筒状体４の内面部４ｃに入射すれば、その赤外線信号を筒状体４の内面部４ｃによる反射により、装置本体１の赤外線通信部に向かわせることができる。これにより、赤外線通信の指向角よりも大きい角度で携帯電話１０の装置本体１に対する位置がずれた場合にも、画像データの通信を行うことができる。また、装置本体１と、携帯電話１０との位置が近距離にあり、かつ、携帯電話１０から送信される赤外線信号の指向方向の中心が、熱転写プリンタの赤外線通信部３の指向方向の中心とほぼ一致している場合には、送信された赤外線信号は、全て筒状体４の内部に入るため、他の機器（図示せず）に画像データが送信されるのを抑制することができる。
【００３２】
また、本実施形態では、樹脂によって形成された筒状体４の内面部４ｃを白色にするように構成することによって、筒状体４を樹脂によって形成する場合に、内面部４ｃが赤外線信号を反射し易くすることができる。
【００３３】
また、本実施形態では、筒状体４を、装置本体１の赤外線通信部３側の開口部４ａから、装置本体１の赤外線通信部３とは反対側の開口部４ｂに向かって、開口面積が大きくなるような形状を有するように構成することによって、その開口面積の大きな開口部４ｂにより、赤外線信号を筒状体４の内部に取り込みやすくすることができる。
【００３４】
また、本実施形態では、筒状体４を、筒状体４の内部に設置された凹レンズ５をさらに備えるように構成することによって、筒状体４の内面により反射されて±１５°よりも大きい角度で凹レンズ５に入射した赤外線を、±１５°以内に屈折させることことができるので、装置本体１の赤外線通信部３により、容易に画像データに対応する赤外線信号を受信することができる。
【００３５】
また、本実施形態では、装置本体１の赤外線通信部３を、カメラ部１０ａと、カメラ部１０ａによって撮影した画像データに対応する赤外線信号を送信する赤外線通信部１０ｂとを有する携帯電話１０からの画像データを前記筒状体４を介して受信可能であるように構成することによって、携帯電話１０のカメラ部１０ａにより撮影した画像データに対応する赤外線信号を、筒状体４および赤外線通信部３を介して、簡単に装置本体１に取り込むことができる。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、熱転写プリンタに本発明を適用する例を示したが、本発明はこれに限らず、熱転写プリンタ以外の画像形成装置にも適用可能である。
【００３８】
また、上記実施形態では、カメラ機能と、赤外線通信機能とを有する機器として、携帯電話を例にして説明したが、本発明はこれに限らず、カメラ機能と、赤外線通信機能とを有するデジタルカメラや、赤外線通信機能を有する携帯情報端末、ノートパソコンなどの他の機器にも適用可能である。
【００３９】
また、上記実施形態では、筒状体４の水平方向の向きを、装置本体１のインクシートカートリッジ挿入孔１ａが形成される面に対して垂直方向に設定した例を示したが、本発明はこれに限らず、図９に示す変形例のように、支持軸６ｂを回動させることにより、筒状体４の水平方向の向きを携帯電話１０の位置する方向に向けるようにしてもよい。
【００４０】
また、上記実施形態では、筒状体のを白色の内面部を有する樹脂で形成することにより、内面部に赤外線信号を反射させる例を示したが、本発明はこれに限らず、筒状体の内面部を、Ａｌなどの光を反射する機能を持つ金属で形成してもよい。このようにしても、同様の効果を得ることができる。
【００４１】
また、上記実施形態では、筒状体を円筒形状を有するように形成する例を示したが、本発明はこれに限らず、筒状体を角形の筒形状を有するように構成してもよい。
【００４２】
また、上記実施形態では、凹レンズの両面が凹形状を有する例を示したが、本発明はこれに限らず、凹レンズの一方の片面が凹形状で、もう一方の片面は平面であってもよい。
【図面の簡単な説明】
【００４３】
【図１】本発明の一実施形態による熱転写プリンタの全体構成を示す斜視図である。
【図２】本発明の一実施形態による熱転写プリンタの側面図である。
【図３】本発明の一実施形態による熱転写プリンタの正面図である。
【図４】本発明の一実施形態による熱転写プリンタの赤外線通信部周りの部分拡大図である。
【図５】図４に対応する図２の１００−１００線に沿った断面図である。
【図６】本発明の一実施形態による熱転写プリンタが、データを受信する場合を示した図２の１００−１００線に沿った断面図である。
【図７】本発明を適用することにより、赤外線の干渉を抑制することを示す図２の１００−１００線に沿った断面図である。
【図８】本発明の一実施形態による熱転写プリンタが、データを送信する場合を示す図２の１００−１００線に沿った断面図である。
【図９】本発明の一実施形態による熱転写プリンタの一変形例を示す斜視図である。
【図１０】従来の一例による熱転写プリンタの全体構成を示す斜視図である。
【図１１】従来の一例による熱転写プリンタが携帯電話よりデータを受信している状態を示す図１０の２００−２００線に沿った断面図である。
【図１２】従来の一例による熱転写プリンタが、携帯電話にデータを送信している状態を示す図１０の２００−２００線に沿った断面図である。
【図１３】従来の一例による熱転写プリンタが、携帯電話よりデータを受信できない状態を示す図１０の２００−２００線に沿った断面図である。
【図１４】従来の一例による熱転写プリンタが、携帯電話にデータを送信できない状態を示す図１０の２００−２００線に沿った断面図である。
【符号の説明】
【００４４】
１      装置本体
２      給紙トレイ  
３      赤外線通信部
４      筒状体
４ａ    開口部  
４ｂ    開口部
４ｃ    内面部
５      凹レンズ
６      支持部材
１０    携帯電話（機器）
【図１】
2007130762.tif 000003
【図２】
2007130762.tif 000004
【図３】
2007130762.tif 000005
【図４】
2007130762.tif 000006
【図５】
2007130762.tif 000007
【図６】
2007130762.tif 000008
【図７】
2007130762.tif 000009
【図８】
2007130762.tif 000010
【図９】
2007130762.tif 000011
【図１０】
2007130762.tif 000012
【図１１】
2007130762.tif 000013
【図１２】
2007130762.tif 000014
【図１３】
2007130762.tif 000015
【図１４】
2007130762.tif 000016